(57)【要約】【課題】使用者が、袋と身体側部品との良好な接続を確実にするために前記袋を前記身体側部品に整列させることを容易にすること。【解決手段】人工肛門用具は、排泄物を受け入れる袋（１２）と、該袋に結合された袋フランジであって前記袋の内部に連通する開口部（１８）を有する袋フランジ（１４）と、開口部（２４）と使用者の人工肛門の周囲の前記使用者の身体に固定される親水コロイド層（２２）とを有する身体側フランジであって前記袋フランジの前記開口部を前記身体側フランジの前記開口部に整列させるために前記袋フランジの凹所に受け入れられる位置決め用の突起（４０）を有する身体側フランジ（２０）とを含み、使用時に前記身体側フランジに向けられる前記袋フランジの面は、前記身体側フランジに接着される接着剤を有し、前記凹所は前記袋フランジの周縁部にあって前記袋フランジの前記開口部から外方へ隔てられている。【選択図】図１
2014121648.tif 000002
【特許請求の範囲】
【請求項１】
排泄物を受け入れる袋と、
前記袋に結合された袋フランジであって前記袋の内部に通ずる開口部を有する袋フランジと、
開口部と使用者の人工肛門の周囲の前記使用者の身体に固定される親水コロイド層とを有する身体側フランジであって前記袋フランジの前記開口部を前記身体側フランジの前記開口部に整列させるために前記袋フランジの凹所に受け入れられる位置決め用の突起を有する身体側フランジとを含み、
使用時に前記身体側フランジに向けられる前記袋フランジの面は、前記身体側フランジに接着される接着剤を有し、前記凹所は前記袋フランジの周縁部にあって前記袋フランジの前記開口部から外方へ隔てられている、人工肛門用具。
【請求項２】
前記突起が前記凹所に受け入れられているとき、前記袋フランジ及び前記身体側フランジをこれらに対してほぼ垂直に貫く軸線の周りの前記袋フランジ及び前記身体側フランジの相対的な回転運動が阻止される、請求項１に記載の人工肛門用具。
【請求項３】
前記突起が前記凹所に受け入れられているとき、前記凹所の近傍における前記袋フランジ及び前記身体側フランジをこれらに対してほぼ垂直に貫く軸線の周りの前記袋フランジ及び前記身体側フランジの相対的な角運動が阻止される、請求項１又は２に記載の人工肛門用具。
【請求項４】
前記突起は、前記凹所の平坦な部分に係合する平坦な部分を有する、請求項１ないし３のいずれか１項に記載の人工肛門用具。
【請求項５】
前記凹所は、前記身体側フランジに対する前記袋フランジの横方向の動きを阻止する相対する一対の側壁を有する、請求項１ないし４のいずれか１項に記載の人工肛門用具。
【請求項６】
前記凹所の前記側壁は、該側壁のそれぞれが前記袋フランジの前記開口部から隔てられるように間隔を置かれている、請求項５に記載の人工肛門用具。
【請求項７】
前記側壁は前記袋フランジの全体的な平面図において前記袋フランジの前記開口部から隔てられている、請求項６に記載の人工肛門用具。
【請求項８】
前記突起は細長い、請求項１ないし７のいずれか１項に記載の人工肛門用具。
【請求項９】
前記突起はほぼ直線状である、請求項１ないし８のいずれか１項に記載の人工肛門用具。
【請求項１０】
前記突起は棚状である、請求項１ないし９のいずれか１項に記載の人工肛門用具。
【請求項１１】
使用前に前記袋フランジの接着性の面を覆う取外し可能なカバーを有する、請求項１ないし１０のいずれか１項に記載の人工肛門用具。
【請求項１２】
前記凹所を取り巻く前記袋フランジの前記面の領域は接着性を有しない、請求項１ないし１１のいずれか１項に記載の人工肛門用具。
【請求項１３】
前記凹所を取り巻く前記袋フランジの前記面の領域は、接着性を有し、外面が接着性を有しないカバーで覆われており、該カバーは、前記袋フランジ及び前記身体側フランジが互いに接着されたときに前記カバーの位置を維持する、請求項１ないし１２のいずれか１項に記載の人工肛門用具。
【請求項１４】
本願明細書において添付の図面を参照に説明し、該図面に示した人工肛門用具。
【発明の詳細な説明】
【技術分野】
【０００１】
本発明は、人工肛門用具、具体的には、使用者の身体に取り付けられる第１部品（身体側部品）と、該身体側部品に取り外し可能に取り付けられ、排泄物を受け入れる袋とを有する人工肛門用具に関する。
【背景技術】
【０００２】
このような人工肛門用具は２部品の器具として知られている。前記袋を前記身体側部品に取り付ける方法には、接着又は前記袋と前記身体側部品との一体形成がある。従来の人工肛門用具には、高齢で、視力が弱く、機敏でない使用者が、前記袋と前記身体側部品との良好な接続を確実にするために前記袋を前記身体側部品に整列させることが困難であり、前記身体側部品と前記袋との間の流体通路を遮断できないという問題がある。このため、漏れが生じ、顧客満足を十分に得られない。
【発明の概要】
【発明が解決しようとする課題】
【０００３】
本発明の目的は、上記の問題を改善する２部品の人工肛門用具を提供することである。
【課題を解決するための手段】
【０００４】
本発明に係る人工肛門用具は、排泄物を受け入れる袋と、該袋に結合された袋フランジであって前記袋の内部に通ずる開口部を有する袋フランジと、開口部と使用者の人工肛門の周囲の前記使用者の身体に固定される親水コロイド層とを有する身体側フランジであって前記袋フランジの前記開口部を前記身体側フランジの前記開口部に整列させるために前記袋フランジの凹所に受け入れられる位置決め用の突起を有する身体側フランジとを含む。使用時に前記身体側フランジに向けられる前記袋フランジの面は、前記身体側フランジに接着される接着剤を有し、前記凹所は前記袋フランジの周縁部にあって前記袋フランジの前記開口部から外方へ隔てられている。
【０００５】
本発明によれば、前記身体側フランジの前記突起により、前記使用者は、目視よりむしろ感触により前記袋フランジを前記身体側フランジに対して正確に配置することができ、前記袋フランジの前記開口部を前記身体側フランジの前記開口部に整列させることができる。
【０００６】
本発明の他の特徴は特許請求の範囲から明らかになる。
【０００７】
本発明の実施例を添付の以下の図面に示す。
【図面の簡単な説明】
【０００８】
【図１】本発明に係る袋及び袋フランジの正面図。
【図２】図１の線Ａ−Ａにおける袋及び袋フランジの断面図。
【図３】本発明に係る身体側フランジの正面図。
【図４】図３の線Ｂ−Ｂにおける身体側フランジの断面図。
【図５】互いに結合された袋フランジ及び身体側フランジの側面図。
【発明を実施するための形態】
【０００９】
図１ないし５に、２つの部品、すなわち、（ａ）排泄物を受け入れる袋１２と該袋に結合された袋フランジ１４とを有する袋側部品と、（ｂ）身体側フランジ２０を有する身体側部品とを有する人工肛門用具を示す。
【００１０】
袋フランジ１４は、ほぼ環状であり、接着剤、熱溶接又は他の適当な結合手段により袋１２に結合されている。
【００１１】
袋フランジ１４は、該袋フランジの中央部を貫き、袋１２の内部２０に通ずる開口部１８を有する。袋１２の構成部品は、従来知られており、本明細書では詳細に説明しない。使用時に使用者に向けられる袋フランジ１４の面は、身体側フランジ２０に接着される接着剤層１５を有する。接着剤層１５は、身体側フランジ２０に袋フランジ１４を保持し、これにより袋１２を保持する程度に十分に強力であるが、袋１２を空にするために該袋を取り外すときや袋１２を新たな袋と交換するときに身体側フランジ２０及び袋フランジ１４が分離されることを許す。袋フランジ１４が使用されていないとき、接着剤層１５は、該接着剤層の接着性を完全に維持するために、取外し可能なカバー１７で覆われている。
【００１２】
袋フランジ１４は、その上端部（通常の使用時）にタブ１９を有し、該タブの表面は、タブ１９に接着剤が存在しないため又はタブ１９にカバーが取り付けられているため、接着性を有しない。タブ１９の非接着性により、使用者は、カバー１７の隣接部分をつかみ、該カバーを取り外すことができる（後に詳細に説明する）。タブ１９は、身体側フランジ２０から袋フランジ１４を取り外す手段としても機能する。
【００１３】
袋フランジ１４は、該袋フランジの周縁部に設けられた凹所３０を有する。凹所３０は開口部１８から径方向に外方へ隔てられている。凹所３０は、ほぼ平坦な底壁３１により連結された一対の側壁３２、３３を有する。側壁３２、３３は、該側壁のそれぞれが開口部１８から隔てられるように間隔を置かれている。
【００１４】
凹所３０を取り巻く、袋フランジ１４の前記面の領域は接着性を有しない。これは、凹所３０を取り巻く前記面にカバー３４を接着することにより実現されている。カバー３４の外面は接着性を有しておらず、カバー１７は袋フランジ１４の前記領域に接着されていない。
【００１５】
前記人工肛門用具は環状の身体側フランジ２０を有する。身体側フランジ２０は、使用者の人工肛門の周囲の前記使用者の身体に固定される親水コロイド層２２と、該親水コロイド層を貫き、前記人工肛門と袋フランジ１４の開口部１８との間に液体通路を提供する開口部２４とを有する。従来知られているように、親水コロイド層２２を切って開口部２４を大きくすることができる。親水コロイド層２２は、取外し可能なカバー２５で覆われており、該カバーの取外しを助けるタブ２６を有する。
【００１６】
身体側フランジ２０は、該身体側フランジの周縁部に設けられた位置決め用の突起４０を有する。突起４０は、細長い、ほぼ直線状の棚であり、身体側フランジ２０の全体の面から該面に対してほぼ垂直な方向に伸びている。開口部２４に向けられた、突起４０の面４１は平坦である。
【００１７】
使用時、突起４０は、袋フランジ１４の開口部１８が身体側フランジ２０の開口部２４に整列されるように凹所３０に受け入れられる。これは、以下のようにして実現される。
【００１８】
身体側フランジ２０は、開口部２４が使用者の人工肛門に整列され、できる限り、該人工肛門を受け入れるように使用者の皮膚に取り付けられる。（親水コロイド層２２からカバー２５を取り外した状態で）親水コロイド層２２は、安定した確実な水密を提供するために前記使用者の皮膚に接着される。好ましくは、身体側フランジ２０は、前記使用者が直立しているときに突起４０の面４１が前記開口部の中央部分の下方にあり、面４１がほぼ水平であるように、前記使用者に取り付けられる。
【００１９】
その後、前記使用者は、底壁３１が突起４０の面４１に係合するまで袋フランジ１４を下方へ移動させることにより、袋フランジ１４の位置決めをする。突起４０が凹所３０に受け入れられると、袋フランジ１４は、開口部１８が開口部２４に整列されるように身体側フランジ２０に整列される。その後、前記使用者は、カバー１７が完全に取り外されるまで、タブ１９をつかみ、該タブを外方かつ下方へ引くことにより、カバー１７を取り外す。その後、前記使用者は、袋フランジ１４が身体側フランジ２０に完全に接着されるまで突起４０の面４１を支点として袋フランジ１４を身体側フランジ２０に向けて回転させる。これに代え、前記使用者は、突起４０の面４１を凹所３０の底壁３１に係合させる前にカバー１７を部分的に又は完全に取り外してもよい。
【００２０】
前記人工肛門用具は、突起４０が凹所３０に完全に受け入れられているとき、袋フランジ１４及び身体側フランジ２０をこれらに対してほぼ垂直に貫く軸線の周りの（より具体的には、凹所３０の近傍における袋フランジ１４及び身体側フランジ２０を貫く軸線の周りの）袋フランジ１４及び身体側フランジ２０の相対的な回転運動が阻止されるため、従来の人工肛門用具に対して利点がある。これにより、前記使用者は、袋フランジ１４及び身体側フランジ２０が互いに接着される前に袋フランジ１４及び身体側フランジ２０を確実に整列させることができる。相対する一対の側壁３２、３３は、身体側フランジ２０に対する袋フランジ１４の横方向の動きを阻止し、前記使用者に、身体側フランジ２０及び袋フランジ１４が正確に整列されていることを保証する。
【００２１】
凹所３０を取り巻く、カバー３４による非接着領域が身体側フランジ２０に接着されていないため、使用者は、突起４０が凹所３０に係合しているときに身体側フランジ２０に対する袋フランジ１４の位置を微調整することができる。カバー３４により、前記使用者は、凹所３０への突起４０の係合を解除することなくカバー１７を容易に取り外すことができる。
【００２２】
接着剤層１５及びカバー１７は、袋フランジ１４にではなく、身体側フランジ２０に取り付けられていてもよい。この場合、カバー３４に関する上記の理由と同じ理由から、突起４０を取り巻く領域（少なくとも面４１に隣接する領域）が接着性を有しないことが望ましい。
【００２３】
本発明の実施例を構成する材料は、材料の性質による場合を除き、限定されない。適当な材料は、例えば、袋については、エチレン酢酸ビニル（EVA）の１又は２以上の層及びポリ塩化ビニリデン（PVDC）の障壁層であり、発砲材料からなる部品については、発砲ポリエチレンであり、射出成形されたプラスチックからなるフランジについては、エチレン酢酸ビニル（EVA）又はポリエチレンである。
【００２４】
本願明細書及び特許請求の範囲における「含む」及び「有する」という用語及びその変形は、特定の構成、ステップ又は値が含まれていることを意味する。この用語は、他の特徴、ステップ又は部品を除外するものではない。
【００２５】
上記の説明、特許請求の範囲又は添付の図面において開示し、特定の形態について、開示した機能を実現する手段又は開示した結果を得る方法や課程に関して説明した特徴は、このような特徴を組み合わせて又は単独に、異なる形態の発明を実現するために用いられてもよい。
【符号の説明】
【００２６】
１２ 袋
１４ 袋フランジ
１５ 接着剤層
１７ カバー
１８ 袋フランジの開口部
２０ 身体側フランジ
２２ 親水コロイド層
２４ 身体側フランジの開口部
３０ 凹所
３２、３３ 側壁
３４ カバー
４０ 突起
４１ 面
【図１】
2014121648.tif 000003
【図２】
2014121648.tif 000004
【図３】
2014121648.tif 000005
【図４】
2014121648.tif 000006
【図５】
2014121648.tif 000007
【手続補正書】
【提出日】平成26年3月31日(2014.3.31)
【手続補正１】
【補正対象書類名】明細書
【補正対象項目名】全文
【補正方法】変更
【補正の内容】
【発明の詳細な説明】
【技術分野】
【０００１】
本発明は、人工肛門用具、具体的には、使用者の身体に取り付けられる第１部品（身体側部品）と、該身体側部品に取り外し可能に取り付けられ、排泄物を受け入れる袋とを有する人工肛門用具に関する。
【背景技術】
【０００２】
このような人工肛門用具は２部品の器具として知られている。前記袋を前記身体側部品に取り付ける方法には、接着又は前記袋と前記身体側部品との一体形成がある。従来の人工肛門用具には、高齢で、視力が弱く、機敏でない使用者が、前記袋と前記身体側部品との良好な接続を確実にするために前記袋を前記身体側部品に整列させることが困難であり、前記身体側部品と前記袋との間の流体通路を遮断できないという問題がある。このため、漏れが生じ、顧客満足を十分に得られない。
【発明の概要】
【発明が解決しようとする課題】
【０００３】
本発明の目的は、上記の問題を改善する２部品の人工肛門用具を提供することである。
【課題を解決するための手段】
【０００４】
本発明に係る人工肛門用具は、排泄物を受け入れる袋と、該袋に結合された袋フランジであって前記袋の内部に通ずる開口部を有する袋フランジと、開口部と使用者の人工肛門の周囲の前記使用者の身体に固定される親水コロイド層とを有する身体側フランジであって前記袋フランジの前記開口部を前記身体側フランジの前記開口部に整列させるために前記袋フランジの凹所に受け入れられる位置決め用の突起を有する身体側フランジとを含む。使用時に前記身体側フランジに向けられる前記袋フランジの面は、前記身体側フランジに接着される接着剤を有し、前記凹所は前記袋フランジの周縁部にあって前記袋フランジの前記開口部から外方へ隔てられている。
【０００５】
本発明によれば、前記身体側フランジの前記突起により、前記使用者は、目視よりむしろ感触により前記袋フランジを前記身体側フランジに対して正確に配置することができ、前記袋フランジの前記開口部を前記身体側フランジの前記開口部に整列させることができる。
【０００６】
本発明の他の特徴は特許請求の範囲から明らかになる。
【０００７】
本発明の実施例を添付の以下の図面に示す。
【図面の簡単な説明】
【０００８】
【図１】本発明に係る袋及び袋フランジの正面図。
【図２】図１の線Ａ−Ａにおける袋及び袋フランジの断面図。
【図３】本発明に係る身体側フランジの正面図。
【図４】図３の線Ｂ−Ｂにおける身体側フランジの断面図。
【図５】互いに結合された袋フランジ及び身体側フランジの側面図。
【発明を実施するための形態】
【０００９】
図１ないし５に、２つの部品、すなわち、（ａ）排泄物を受け入れる袋１２と該袋に結合された袋フランジ１４とを有する袋側部品と、（ｂ）身体側フランジ２０を有する身体側部品とを有する人工肛門用具を示す。
【００１０】
袋フランジ１４は、ほぼ環状であり、接着剤、熱溶接又は他の適当な結合手段により袋１２に結合されている。
【００１１】
袋フランジ１４は、該袋フランジの中央部を貫き、袋１２の内部２０に通ずる開口部１８を有する。袋１２の構成部品は、従来知られており、本明細書では詳細に説明しない。使用時に使用者に向けられる袋フランジ１４の面は、身体側フランジ２０に接着される接着剤層１５を有する。接着剤層１５は、身体側フランジ２０に袋フランジ１４を保持し、これにより袋１２を保持する程度に十分に強力であるが、袋１２を空にするために該袋を取り外すときや袋１２を新たな袋と交換するときに身体側フランジ２０及び袋フランジ１４が分離されることを許す。袋フランジ１４が使用されていないとき、接着剤層１５は、該接着剤層の接着性を完全に維持するために、取外し可能なカバー１７で覆われている。
【００１２】
袋フランジ１４は、その上端部（通常の使用時）にタブ１９を有し、該タブの表面は、タブ１９に接着剤が存在しないため又はタブ１９にカバーが取り付けられているため、接着性を有しない。タブ１９の非接着性により、使用者は、カバー１７の隣接部分をつかみ、該カバーを取り外すことができる（後に詳細に説明する）。タブ１９は、身体側フランジ２０から袋フランジ１４を取り外す手段としても機能する。
【００１３】
袋フランジ１４は、該袋フランジの周縁部に設けられた凹所３０を有する。凹所３０は開口部１８から径方向に外方へ隔てられている。凹所３０は、ほぼ平坦な底壁３１により連結された一対の側壁３２、３３を有する。側壁３２、３３は、該側壁のそれぞれが開口部１８から隔てられるように間隔を置かれている。
【００１４】
凹所３０を取り巻く、袋フランジ１４の前記面の領域は接着性を有しない。これは、凹所３０を取り巻く前記面にカバー３４を接着することにより実現されている。カバー３４の外面は接着性を有しておらず、カバー１７は袋フランジ１４の前記領域に接着されていない。
【００１５】
前記人工肛門用具は環状の身体側フランジ２０を有する。身体側フランジ２０は、使用者の人工肛門の周囲の前記使用者の身体に固定される親水コロイド層２２と、該親水コロイド層を貫き、前記人工肛門と袋フランジ１４の開口部１８との間に液体通路を提供する開口部２４とを有する。従来知られているように、親水コロイド層２２を切って開口部２４を大きくすることができる。親水コロイド層２２は、取外し可能なカバー２５で覆われており、該カバーの取外しを助けるタブ２６を有する。
【００１６】
身体側フランジ２０は、該身体側フランジの周縁部に設けられた位置決め用の突起４０を有する。突起４０は、細長い、ほぼ直線状の棚であり、身体側フランジ２０の全体の面から該面に対してほぼ垂直な方向に伸びている。開口部２４に向けられた、突起４０の面４１は平坦である。
【００１７】
使用時、突起４０は、袋フランジ１４の開口部１８が身体側フランジ２０の開口部２４に整列されるように凹所３０に受け入れられる。これは、以下のようにして実現される。
【００１８】
身体側フランジ２０は、開口部２４が使用者の人工肛門に整列され、できる限り、該人工肛門を受け入れるように使用者の皮膚に取り付けられる。（親水コロイド層２２からカバー２５を取り外した状態で）親水コロイド層２２は、安定した確実な水密を提供するために前記使用者の皮膚に接着される。好ましくは、身体側フランジ２０は、前記使用者が直立しているときに突起４０の面４１が前記開口部の中央部分の下方にあり、面４１がほぼ水平であるように、前記使用者に取り付けられる。
【００１９】
その後、前記使用者は、底壁３１が突起４０の面４１に係合するまで袋フランジ１４を下方へ移動させることにより、袋フランジ１４の位置決めをする。突起４０が凹所３０に受け入れられると、袋フランジ１４は、開口部１８が開口部２４に整列されるように身体側フランジ２０に整列される。その後、前記使用者は、カバー１７が完全に取り外されるまで、タブ１９をつかみ、該タブを外方かつ下方へ引くことにより、カバー１７を取り外す。その後、前記使用者は、袋フランジ１４が身体側フランジ２０に完全に接着されるまで突起４０の面４１を支点として袋フランジ１４を身体側フランジ２０に向けて回転させる。これに代え、前記使用者は、突起４０の面４１を凹所３０の底壁３１に係合させる前にカバー１７を部分的に又は完全に取り外してもよい。
【００２０】
前記人工肛門用具は、突起４０が凹所３０に完全に受け入れられているとき、袋フランジ１４及び身体側フランジ２０をこれらに対してほぼ垂直に貫く軸線の周りの（より具体的には、凹所３０の近傍における袋フランジ１４及び身体側フランジ２０を貫く軸線の周りの）袋フランジ１４及び身体側フランジ２０の相対的な回転運動が阻止されるため、従来の人工肛門用具に対して利点がある。これにより、前記使用者は、袋フランジ１４及び身体側フランジ２０が互いに接着される前に袋フランジ１４及び身体側フランジ２０を確実に整列させることができる。相対する一対の側壁３２、３３は、身体側フランジ２０に対する袋フランジ１４の横方向の動きを阻止し、前記使用者に、身体側フランジ２０及び袋フランジ１４が正確に整列されていることを保証する。
【００２１】
凹所３０を取り巻く、カバー３４による非接着領域が身体側フランジ２０に接着されていないため、使用者は、突起４０が凹所３０に係合しているときに身体側フランジ２０に対する袋フランジ１４の位置を微調整することができる。カバー３４により、前記使用者は、凹所３０への突起４０の係合を解除することなくカバー１７を容易に取り外すことができる。
【００２２】
接着剤層１５及びカバー１７は、袋フランジ１４にではなく、身体側フランジ２０に取り付けられていてもよい。この場合、カバー３４に関する上記の理由と同じ理由から、突起４０を取り巻く領域（少なくとも面４１に隣接する領域）が接着性を有しないことが望ましい。
【００２３】
本発明の実施例を構成する材料は、材料の性質による場合を除き、限定されない。適当な材料は、例えば、袋については、エチレン酢酸ビニル（EVA）の１又は２以上の層及びポリ塩化ビニリデン（PVDC）の障壁層であり、発砲材料からなる部品については、発砲ポリエチレンであり、射出成形されたプラスチックからなるフランジについては、エチレン酢酸ビニル（EVA）又はポリエチレンである。
【００２４】
本願明細書及び特許請求の範囲における「含む」及び「有する」という用語及びその変形は、特定の構成、ステップ又は値が含まれていることを意味する。この用語は、他の特徴、ステップ又は部品を除外するものではない。
【００２５】
上記の説明、特許請求の範囲又は添付の図面において開示し、特定の形態について、開示した機能を実現する手段又は開示した結果を得る方法や課程に関して説明した特徴は、このような特徴を組み合わせて又は単独に、異なる形態の発明を実現するために用いられてもよい。
【符号の説明】
【００２６】
１２ 袋
１４ 袋フランジ
１５ 接着剤層
１７ カバー
１８ 袋フランジの開口部
２０ 身体側フランジ
２２ 親水コロイド層
２４ 身体側フランジの開口部
３０ 凹所
３２、３３ 側壁
３４ カバー
４０ 突起
４１ 面
【００２７】
本発明の１つ以上の態様の更なる特徴が、以下の番号が付けられた項目で示される。  
１．排泄物を受け入れる袋と、
前記袋に結合された袋フランジであって前記袋の内部に通ずる開口部を有する袋フランジと、
開口部と使用者の人工肛門の周囲の前記使用者の身体に固定される親水コロイド層とを有する身体側フランジであって前記袋フランジの前記開口部を前記身体側フランジの前記開口部に整列させるために前記袋フランジの凹所に受け入れられる位置決め用の突起を有する身体側フランジとを含み、
使用時に前記身体側フランジに向けられる前記袋フランジの面は、前記身体側フランジに接着される接着剤を有し、前記凹所は前記袋フランジの周縁部にあって前記袋フランジの前記開口部から外方へ隔てられており、前記突起は、前記凹所の平坦な部分に係合する平坦な部分を有する、人工肛門用具。  
２．前記突起が前記凹所に受け入れられているとき、前記袋フランジ及び前記身体側フランジをこれらに対してほぼ垂直に貫く軸線の周りの前記袋フランジ及び前記身体側フランジの相対的な回転運動が阻止される、項目１に記載の人工肛門用具。  
３．前記突起が前記凹所に受け入れられているとき、前記凹所の近傍における前記袋フランジ及び前記身体側フランジをこれらに対してほぼ垂直に貫く軸線の周りの前記袋フランジ及び前記身体側フランジの相対的な角運動が阻止される、項目１又は２に記載の人工肛門用具。  
４．前記凹所は、前記身体側フランジに対する前記袋フランジの横方向の動きを阻止する相対する一対の側壁を有する、項目１ないし３のいずれか１項に記載の人工肛門用具。  
５．前記凹所の前記側壁は、該側壁のそれぞれが前記袋フランジの前記開口部から隔てられるように間隔を置かれている、項目４に記載の人工肛門用具。  
６．前記側壁は前記袋フランジの全体的な平面図において前記袋フランジの前記開口部から隔てられている、項目５に記載の人工肛門用具。  
７．前記突起は細長い、項目１ないし６のいずれか１項に記載の人工肛門用具。  
８．前記突起はほぼ直線状である、項目１ないし７のいずれか１項に記載の人工肛門用具。  
９．前記突起は棚状である、項目１ないし８のいずれか１項に記載の人工肛門用具。  
１０．使用前に前記袋フランジの接着性の面を覆う取外し可能なカバーを有する、項目１ないし９のいずれか１項に記載の人工肛門用具。  
１１．前記凹所を取り巻く前記袋フランジの前記面の領域は接着性を有しない、項目１ないし１０のいずれか１項に記載の人工肛門用具。  
１２．前記凹所を取り巻く前記袋フランジの前記面の領域は、接着性を有し、外面が接着性を有しないカバーで覆われており、該カバーは、前記袋フランジ及び前記身体側フランジが互いに接着されたときに前記カバーの位置を維持する、項目１ないし１１のいずれか１項に記載の人工肛門用具。
【手続補正２】
【補正対象書類名】特許請求の範囲
【補正対象項目名】全文
【補正方法】変更
【補正の内容】
【特許請求の範囲】
【請求項１】
排泄物を受け入れる袋と、
前記袋に結合された袋フランジであって前記袋の内部に通ずる開口部を備えた環状部を有する袋フランジと、
開口部と使用者の人工肛門の周囲の前記使用者の身体に固定される親水コロイド層とを有する身体側フランジであって前記袋フランジの前記開口部を前記身体側フランジの前記開口部に整列させるために前記袋フランジの前記環状部における凹所に受け入れられる位置決め用の突起を有する身体側フランジとを含み、
使用時に前記身体側フランジに向けられる前記袋フランジの面は、前記身体側フランジに接着される接着剤を有し、前記凹所は前記袋フランジの前記環状部の周縁部にあって前記袋フランジの前記開口部から外方へ隔てられており、前記突起は、それに対応して前記凹所の平坦な部分に係合する平坦な部分を有する、人工肛門用具。
【請求項２】
前記突起が前記凹所に受け入れられているとき、前記袋フランジ及び前記身体側フランジをこれらに対してほぼ垂直に貫く軸線の周りの前記袋フランジ及び前記身体側フランジの相対的な回転運動が阻止される、請求項１に記載の人工肛門用具。
【請求項３】
前記突起が前記凹所に受け入れられているとき、前記凹所の近傍における前記袋フランジ及び前記身体側フランジをこれらに対してほぼ垂直に貫く軸線の周りの前記袋フランジ及び前記身体側フランジの相対的な角運動が阻止される、請求項１又は２に記載の人工肛門用具。
【請求項４】
前記凹所は、前記身体側フランジに対する前記袋フランジの横方向の動きを阻止する相対する一対の側壁を有する、請求項１ないし３のいずれか１項に記載の人工肛門用具。
【請求項５】
前記凹所の前記側壁は、該側壁のそれぞれが前記袋フランジの前記開口部から隔てられるように間隔を置かれている、請求項４に記載の人工肛門用具。
【請求項６】
前記側壁は前記袋フランジの全体的な平面図において前記袋フランジの前記開口部から隔てられている、請求項５に記載の人工肛門用具。
【請求項７】
前記突起は細長い、請求項１ないし６のいずれか１項に記載の人工肛門用具。
【請求項８】
前記突起はほぼ直線状である、請求項１ないし７のいずれか１項に記載の人工肛門用具。
【請求項９】
前記突起は棚状である、請求項１ないし８のいずれか１項に記載の人工肛門用具。
【請求項１０】
使用前に前記袋フランジの接着性の面を覆う取外し可能なカバーを有する、請求項１ないし９のいずれか１項に記載の人工肛門用具。
【請求項１１】
前記凹所を取り巻く前記袋フランジの前記面の領域は接着性を有しない、請求項１ないし１０のいずれか１項に記載の人工肛門用具。
【請求項１２】
前記凹所を取り巻く前記袋フランジの前記面の領域は、接着性を有し、外面が接着性を有しないカバーで覆われており、該カバーは、前記袋フランジ及び前記身体側フランジが互いに接着されたときに前記カバーの位置を維持する、請求項１ないし１１のいずれか１項に記載の人工肛門用具。
【外国語明細書】
2014121648.tif 000008
2014121648.tif 000009
2014121648.tif 000010
2014121648.tif 000011
2014121648.tif 000012
2014121648.tif 000013
2014121648.tif 000014
2014121648.tif 000015
2014121648.tif 000016
2014121648.tif 000017
2014121648.tif 000018
2014121648.tif 000019
2014121648.tif 000020
2014121648.tif 000021
2014121648.tif 000022
2014121648.tif 000023